(57)【要約】【課題】導光レンズ2を回転させることによって照明装置30の見え方を変化させる。【解決手段】光源1と、光源1から照射された光が入射する入射面2aと、入射面2aからの光を光源1の光軸1'から遠ざかる側に内面反射する反射面2b1,2b2と、反射面2b1,2b2からの光を出射する出射面2c1,2c2とを有する導光レンズ2とを具備し、導光レンズ2が光軸1'を中心に回転可能に構成された照明装置30において、導光レンズ2を隔てて光源1の反対側に遮光部材5の本体部5aを配置し、遮光部材5の本体部5aから光源1の側に延びている遮光部材5の脚部5b1,5b2,5b3,5b4を遮光部材5の本体部5aの周方向に部分的に配置し、導光レンズ2の回転時に、導光レンズ2と一体的に遮光部材5を回転させる。【選択図】図１
2010225491.tif 000002
【特許請求の範囲】
【請求項１】
光源（１）と、
光源（１）から照射された光が入射する入射面（２ａ）と、入射面（２ａ）からの光を光源（１）の光軸（１’）から遠ざかる側に内面反射する反射面（２ｂ１，２ｂ２）と、反射面（２ｂ１，２ｂ２）からの光を出射する出射面（２ｃ１，２ｃ２）とを有する導光レンズ（２）とを具備し、
導光レンズ（２）が概略光源（１）の光軸（１’）を中心に回転可能に構成された照明装置（３０）において、
導光レンズ（２）を隔てて光源（１）の反対側に遮光部材（５）の本体部（５ａ）を配置し、
遮光部材（５）の本体部（５ａ）から光源（１）の側に延びている遮光部材（５）の脚部（５ｂ１，５ｂ２，５ｂ３，５ｂ４）を、遮光部材（５）の本体部（５ａ）の周方向に部分的に配置し、
導光レンズ（２）の回転時に、導光レンズ（２）と一体的に遮光部材（５）を回転させることを特徴とする照明装置（３０）。
【請求項２】
導光レンズ（２）の出射面（２ｃ１，２ｃ２）から出射した光の一部が、遮光部材（５）の脚部（５ｂ１，５ｂ２，５ｂ３，５ｂ４）によって遮られることを特徴とする請求項１に記載の照明装置（３０）。
【請求項３】
導光レンズ（２）を筒状部材（４，６）に接続し、
筒状部材（４，６）を回転可能に支持するための軸受部（７ｂ，１４ａ）を、光源（１）を隔てて導光レンズ（２）の反対側に配置したことを特徴とする請求項１又は２に記載の照明装置（３０）。
【請求項４】
光源（１）を概略棒状の光源支持部材（３）に搭載し、
光源支持部材（３）を、筒状部材（４，６）と非接触の状態で筒状部材（４，６）の内部に配置したことを特徴とする請求項３に記載の照明装置（３０）。
【請求項５】
光源支持部材（３）と直線運動体前側板（１０）とを接続し、
軸受部（７ｂ）を有する軸受部材（７）と直線運動体前側板（１０）とを接続し、
直線運動体前側板（１０）および直線運動体後側板（１１）を概略光源（１）の光軸（１’）方向に移動可能にガイドするためのガイド部材（２０ａ，２０ｂ，２０ｃ）と、
直線運動体前側板（１０）および直線運動体後側板（１１）を概略光源（１）の光軸（１’）方向に移動させるための駆動手段（１８）とを設けたことを特徴とする請求項４に記載の照明装置（３０）。
【請求項６】
不動体前側板（１４）に形成された軸受部（１４ａ）によって筒状部材（４，６）を回転可能に支持することを特徴とする請求項５に記載の照明装置（３０）。
【請求項７】
不動体前側板（１４）のうち、軸受部（１４ａ）以外の部分の板厚（ｔ１４）よりも、軸受部（１４ａ）の部分の板厚（ｔ１４ａ）を小さい値に設定したことを特徴とする請求項６に記載の照明装置（３０）。
【請求項８】
導光レンズ（２）の出射面（２ｃ１，２ｃ２）からの光を反射して照明装置（３０）の照射方向に照射するために導光レンズ（２）の周囲に配列された複数の反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を有するリフレクタ（２１）を設け、
相互に隣接する２つの反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を不連続な面によって形成したことを特徴とする請求項１〜７のいずれか一項に記載の照明装置（３０）。
【発明の詳細な説明】
【技術分野】
【０００１】
本発明は、光源と導光レンズとを具備し、導光レンズが概略光源の光軸を中心に回転可能に構成された照明装置に関し、特には、導光レンズを回転させることによって照明装置の見え方（照明装置の光り方）を変化させることができる照明装置に関する。
【背景技術】
【０００２】
従来から、光源と、光源から照射された光が入射する入射面と、入射面からの光を光源の光軸から遠ざかる側に内面反射する反射面と、反射面からの光を出射する出射面とを有する導光レンズとを具備し、導光レンズが概略光源の光軸を中心に回転可能に構成された照明装置が知られている。この種の照明装置の例としては、例えば特開２００８−１６３３２号公報の図２に記載されたものがある。
【０００３】
特開２００８−１６３３２号公報の図２に記載された照明装置では、光源（ＬＥＤ）から照射された光が、導光レンズ（ライトガイド）の入射面（導光口）を介して導光レンズ（ライトガイド）内に入射し、次いで、導光レンズ（ライトガイド）の反射面（ガイド内反射部）によって光源（ＬＥＤ）の光軸から遠ざかる側に内面反射される。次いで、導光レンズ（ライトガイド）の反射面（ガイド内反射部）からの反射光が、導光レンズ（ライトガイド）の出射面を介して出射する。
【０００４】
更に、特開２００８−１６３３２号公報の図２に記載された照明装置では、導光レンズ（ライトガイド）と一体的に形成されたノブを回転させることにより、導光レンズ（ライトガイド）が概略光源（ＬＥＤ）の光軸を中心に回転せしめられる。
【先行技術文献】
【特許文献】
【０００５】
【特許文献１】特開２００８−１６３３２号公報の図２
【発明の概要】
【発明が解決しようとする課題】
【０００６】
ところで、特開２００８−１６３３２号公報の図２に記載された照明装置では、光源（ＬＥＤ）の光軸を中心に所定の断面形状を回転させることにより得られる回転体によって導光レンズ（ライトガイド）が形成されていると考えられる。
【０００７】
そのため、特開２００８−１６３３２号公報の図２に記載された照明装置では、導光レンズ（ライトガイド）を回転させても、照明装置の見え方（照明装置の光り方）を変化させることができない。
【０００８】
前記問題点に鑑み、本発明は、導光レンズを回転させることによって照明装置の見え方（照明装置の光り方）を変化させることができる照明装置を提供することを目的とする。
【０００９】
詳細には、本発明は、光源の光軸を中心に所定の断面形状を回転させることにより得られる回転体によって導光レンズが形成されている場合であっても、導光レンズを回転させることによって照明装置の見え方（照明装置の光り方）を変化させることができる照明装置を提供することを目的とする。
【課題を解決するための手段】
【００１０】
請求項１に記載の発明によれば、光源（１）と、光源（１）から照射された光が入射する入射面（２ａ）と、入射面（２ａ）からの光を光源（１）の光軸（１’）から遠ざかる側に内面反射する反射面（２ｂ１，２ｂ２）と、反射面（２ｂ１，２ｂ２）からの光を出射する出射面（２ｃ１，２ｃ２）とを有する導光レンズ（２）とを具備し、導光レンズ（２）が概略光源（１）の光軸（１’）を中心に回転可能に構成された照明装置（３０）において、導光レンズ（２）を隔てて光源（１）の反対側に遮光部材（５）の本体部（５ａ）を配置し、遮光部材（５）の本体部（５ａ）から光源（１）の側に延びている遮光部材（５）の脚部（５ｂ１，５ｂ２，５ｂ３，５ｂ４）を、遮光部材（５）の本体部（５ａ）の周方向に部分的に配置し、導光レンズ（２）の回転時に、導光レンズ（２）と一体的に遮光部材（５）を回転させることを特徴とする照明装置（３０）が提供される。
【００１１】
請求項２に記載の発明によれば、導光レンズ（２）の出射面（２ｃ１，２ｃ２）から出射した光の一部が、遮光部材（５）の脚部（５ｂ１，５ｂ２，５ｂ３，５ｂ４）によって遮られることを特徴とする請求項１に記載の照明装置（３０）が提供される。
【００１２】
請求項３に記載の発明によれば、導光レンズ（２）を筒状部材（４，６）に接続し、筒状部材（４，６）を回転可能に支持するための軸受部（７ｂ，１４ａ）を、光源（１）を隔てて導光レンズ（２）の反対側に配置したことを特徴とする請求項１又は２に記載の照明装置（３０）が提供される。
【００１３】
請求項４に記載の発明によれば、光源（１）を概略棒状の光源支持部材（３）に搭載し、光源支持部材（３）を、筒状部材（４，６）と非接触の状態で筒状部材（４，６）の内部に配置したことを特徴とする請求項３に記載の照明装置（３０）が提供される。
【００１４】
請求項５に記載の発明によれば、光源支持部材（３）と直線運動体前側板（１０）とを接続し、軸受部（７ｂ）を有する軸受部材（７）と直線運動体前側板（１０）とを接続し、直線運動体前側板（１０）および直線運動体後側板（１１）を概略光源（１）の光軸（１’）方向に移動可能にガイドするためのガイド部材（２０ａ，２０ｂ，２０ｃ）と、直線運動体前側板（１０）および直線運動体後側板（１１）を概略光源（１）の光軸（１’）方向に移動させるための駆動手段（１８）とを設けたことを特徴とする請求項４に記載の照明装置（３０）が提供される。
【００１５】
請求項６に記載の発明によれば、不動体前側板（１４）に形成された軸受部（１４ａ）によって筒状部材（４，６）を回転可能に支持することを特徴とする請求項５に記載の照明装置（３０）が提供される。
【００１６】
請求項７に記載の発明によれば、不動体前側板（１４）のうち、軸受部（１４ａ）以外の部分の板厚（ｔ１４）よりも、軸受部（１４ａ）の部分の板厚（ｔ１４ａ）を小さい値に設定したことを特徴とする請求項６に記載の照明装置（３０）が提供される。
【００１７】
請求項８に記載の発明によれば、導光レンズ（２）の出射面（２ｃ１，２ｃ２）からの光を反射して照明装置（３０）の照射方向に照射するために導光レンズ（２）の周囲に配列された複数の反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を有するリフレクタ（２１）を設け、相互に隣接する２つの反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を不連続な面によって形成したことを特徴とする請求項１〜７のいずれか一項に記載の照明装置（３０）が提供される。
【発明の効果】
【００１８】
請求項１及び２に記載の照明装置（３０）では、光源（１）と、光源（１）から照射された光が入射する入射面（２ａ）と、入射面（２ａ）からの光を光源（１）の光軸（１’）から遠ざかる側に内面反射する反射面（２ｂ１，２ｂ２）と、反射面（２ｂ１，２ｂ２）からの光を出射する出射面（２ｃ１，２ｃ２）とを有する導光レンズ（２）とが設けられている。更に、導光レンズ（２）が概略光源（１）の光軸（１’）を中心に回転可能に構成されている。
【００１９】
詳細には、請求項１及び２に記載の照明装置（３０）では、導光レンズ（２）を隔てて光源（１）の反対側に遮光部材（５）の本体部（５ａ）が配置されている。また、遮光部材（５）の本体部（５ａ）から光源（１）の側に延びている遮光部材（５）の脚部（５ｂ１，５ｂ２，５ｂ３，５ｂ４）が、遮光部材（５）の本体部（５ａ）の周方向に部分的に配置されている。更に、導光レンズ（２）の回転時に、導光レンズ（２）と一体的に遮光部材（５）が回転せしめられる。
【００２０】
好ましくは、請求項１及び２に記載の照明装置（３０）では、導光レンズ（２）の出射面（２ｃ１，２ｃ２）から出射した光の一部が、遮光部材（５）の脚部（５ｂ１，５ｂ２，５ｂ３，５ｂ４）によって遮られる。つまり、請求項１及び２に記載の照明装置（３０）では、導光レンズ（２）の出射面（２ｃ１，２ｃ２）から出射した光の残りの一部が、遮光部材（５）の脚部（５ｂ１，５ｂ２，５ｂ３，５ｂ４）によって遮られない。
【００２１】
そのため、請求項１及び２に記載の照明装置（３０）によれば、導光レンズ（２）を回転させることによって照明装置（３０）の見え方（照明装置（３０）の光り方）を変化させることができる。
【００２２】
詳細には、請求項１及び２に記載の照明装置（３０）によれば、仮に光源（１）の光軸（１’）を中心に所定の断面形状を回転させることにより得られる回転体によって導光レンズ（２）が形成されている場合であっても、導光レンズ（２）を回転させることによって照明装置（３０）の見え方（照明装置（３０）の光り方）を変化させることができる。
【００２３】
請求項３に記載の照明装置（３０）では、導光レンズ（２）が筒状部材（４，６）に接続されている。更に、筒状部材（４，６）を回転可能に支持するための軸受部（７ｂ，１４ａ）が、光源（１）を隔てて導光レンズ（２）の反対側に配置されている。
【００２４】
そのため、請求項３に記載の照明装置（３０）によれば、筒状部材（４，６）を回転可能に支持するための軸受部（７ｂ，１４ａ）が光源（１）よりも導光レンズ（２）の側に配置されるのに伴って、光源（１）からの光の一部が軸受部（７ｂ，１４ａ）によって遮られてしまうおそれを排除することができる。
【００２５】
つまり、請求項３に記載の照明装置（３０）によれば、筒状部材（４，６）を回転可能に支持するための軸受部（７ｂ，１４ａ）が光源（１）よりも導光レンズ（２）の側に配置されている場合よりも、光源（１）からの光の利用効率を向上させることができる。
【００２６】
請求項４に記載の照明装置（３０）では、光源（１）が概略棒状の光源支持部材（３）に搭載されている。更に、光源支持部材（３）が、筒状部材（４，６）と非接触の状態で筒状部材（４，６）の内部に配置されている。
【００２７】
そのため、請求項４に記載の照明装置（３０）によれば、光源（１）および概略棒状の光源支持部材（３）を回転させることなく、導光レンズ（２）、遮光部材（５）および筒状部材（４，６）を回転させることができる。その結果、請求項４に記載の照明装置（３０）によれば、光源（１）が導光レンズ（２）、遮光部材（５）および筒状部材（４，６）と共に回転せしめられる場合よりも、光源（１）に対する電力供給の信頼性を向上させることができる。
【００２８】
また、請求項４に記載の照明装置（３０）によれば、光源（１）が概略棒状の光源支持部材（３）に搭載されていない場合よりも、光源（１）と導光レンズ（２）とを近接させることができ、その結果、光源（１）から照射されて導光レンズ（２）に入射する光の量を増加させることができる。
【００２９】
請求項５に記載の照明装置（３０）では、光源支持部材（３）と直線運動体前側板（１０）とが接続されている。また、軸受部（７ｂ）を有する軸受部材（７）と直線運動体前側板（１０）とが接続されている。更に、直線運動体前側板（１０）および直線運動体後側板（１１）を概略光源（１）の光軸（１’）方向に移動可能にガイドするためのガイド部材（２０ａ，２０ｂ，２０ｃ）と、直線運動体前側板（１０）および直線運動体後側板（１１）を概略光源（１）の光軸（１’）方向に移動させるための駆動手段（１８）とが設けられている。
【００３０】
そのため、請求項５に記載の照明装置（３０）によれば、概略光源（１）の光軸（１’）を中心に導光レンズ（２）と遮光部材（５）とを回転させることができると共に、光源（１）と導光レンズ（２）と遮光部材（５）とを概略光源（１）の光軸（１’）方向に移動させることができる。
【００３１】
その結果、請求項５に記載の照明装置（３０）によれば、光源（１）と導光レンズ（２）と遮光部材（５）とを概略光源（１）の光軸（１’）方向に移動させることができない場合よりも、照明装置（３０）の見え方（照明装置（３０）の光り方）のバリエーションを増加させることができる。
【００３２】
請求項６に記載の照明装置（３０）では、不動体前側板（１４）に形成された軸受部（１４ａ）によって筒状部材（４，６）が回転可能に支持される。換言すれば、請求項６に記載の照明装置（３０）では、直線運動体前側板（１０）に接続された軸受部材（７）の軸受部（７ｂ）のみによって筒状部材（４，６）が回転可能に支持されるのではなく、直線運動体前側板（１０）に接続された軸受部材（７）の軸受部（７ｂ）と不動体前側板（１４）に形成された軸受部（１４ａ）とによって筒状部材（４，６）が回転可能に支持される。
【００３３】
つまり、請求項６に記載の照明装置（３０）では、不動体前側板（１４）に形成された軸受部（１４ａ）が、筒状部材（４，６）を回転可能に支持する機能だけでなく、不動体前側板（１４）に対して筒状部材（４，６）を概略光源（１）の光軸（１’）方向に移動可能にガイドする機能も有する。
【００３４】
そのため、請求項６に記載の照明装置（３０）によれば、不動体前側板（１４）に対して筒状部材（４，６）を概略光源（１）の光軸（１’）方向に移動可能にガイドするための部材が不動体前側板（１４）の軸受部（１４ａ）とは別個に設けられている場合よりも、部品数を削減することができる。
【００３５】
軸受部材（７）の軸受部（７ｂ）と、不動体前側板（１４）の軸受部（１４ａ）との同軸度を十分に高くしづらい場合には、仮に、不動体前側板（１４）の軸受部（１４ａ）の部分の板厚（ｔ１４ａ）が大きい値に設定されると、不動体前側板（１４）の軸受部（１４ａ）と筒状部材（４，６）との間で（図１２中の位置Ｐで）こじりが生じてしまい、筒状部材（４，６）を概略光源（１）の光軸（１’）方向に円滑にガイドできなくなってしまうおそれがある。
【００３６】
この点に鑑み、請求項７に記載の照明装置（３０）では、不動体前側板（１４）のうち、軸受部（１４ａ）以外の部分の板厚（ｔ１４）よりも、軸受部（１４ａ）の部分の板厚（ｔ１４ａ）が小さい値に設定されている。
【００３７】
そのため、請求項７に記載の照明装置（３０）によれば、不動体前側板（１４）の軸受部（１４ａ）と筒状部材（４，６）との間でこじりが生じてしまうおそれを低減することができる。
【００３８】
請求項８に記載の照明装置（３０）では、導光レンズ（２）の出射面（２ｃ１，２ｃ２）からの光を反射して照明装置（３０）の照射方向に照射するために導光レンズ（２）の周囲に配列された複数の反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を有するリフレクタ（２１）が設けられている。更に、相互に隣接する２つの反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）が不連続な面によって形成されている。
【００３９】
そのため、請求項８に記載の照明装置（３０）によれば、導光レンズ（２）を回転させることにより、照明装置（３０）の照射方向から照明装置（３０）を見た時に光って見える反射面（２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６）を変化させることができる。
【図面の簡単な説明】
【００４０】
【図１】リフレクタ２１を透視して見た第１の実施形態の照明装置３０の斜視図である。
【図２】第１の実施形態の照明装置３０の正面図である。
【図３】導光レンズ２の出射面２ｃ１，２ｃ２をリフレクタ２１の後側壁２１ｂよりも前側に突出させた状態における図２のＡ−Ａ線に沿った断面図である。
【図４】図２のＢ−Ｂ線に沿った断面図である。
【図５】図２のＣ−Ｃ線に沿った断面図である。
【図６】第１の実施形態の照明装置３０の左側面図である。
【図７】図６のＤ−Ｄ線に沿った断面図である。
【図８】第１の実施形態の照明装置３０の導光レンズ２の部品図である。
【図９】第１の実施形態の照明装置３０の遮光部材５の部品図である。
【図１０】導光レンズ２の出射面２ｃ１，２ｃ２をリフレクタ２１の後側壁２１ｂよりも後側に収納した状態における図２のＡ−Ａ線に沿った断面図である。
【図１１】第１の実施形態の照明装置３０の光路図である。
【図１２】第１の実施形態の照明装置３０の筒状部材６の外周面６ｂのこじりを説明するための拡大水平断面図である。
【発明を実施するための形態】
【００４１】
以下、本発明の照明装置の第１の実施形態について説明する。図１はリフレクタ２１を透視して見た第１の実施形態の照明装置３０の斜視図である。図２は第１の実施形態の照明装置３０の正面図である。図３は図２のＡ−Ａ線に沿った断面図である。図４は図２のＢ−Ｂ線に沿った断面図である。図５は図２のＣ−Ｃ線に沿った断面図である。図６は第１の実施形態の照明装置３０の左側面図である。図７は図６のＤ−Ｄ線に沿った断面図である。
【００４２】
図８は第１の実施形態の照明装置３０の導光レンズ２の部品図である。詳細には、図８（Ａ）は導光レンズ２の平面図、図８（Ｂ）は導光レンズ２の正面図、図８（Ｃ）は導光レンズ２の右側面図、図８（Ｄ）は図８（Ｂ）のＥ−Ｅ線に沿った断面図である。図９は第１の実施形態の照明装置３０の遮光部材５の部品図である。詳細には、図９（Ａ）は遮光部材５の平面図、図９（Ｂ）は遮光部材５の正面図、図９（Ｃ）は遮光部材５の右側面図、図９（Ｄ）は遮光部材５の底面図、図９（Ｅ）は遮光部材５の後側面図である。
【００４３】
図１０は導光レンズ２の出射面２ｃ１，２ｃ２をリフレクタ２１の後側壁２１ｂよりも後側に収納した状態における図２のＡ−Ａ線に沿った断面図である。詳細には、図３は導光レンズ２の出射面２ｃ１，２ｃ２をリフレクタ２１の後側壁２１ｂよりも前側に突出させた状態における図２のＡ−Ａ線に沿った断面図である。
【００４４】
図１１は第１の実施形態の照明装置３０の光路図である。詳細には、図１１（Ａ）は導光レンズ２の出射面２ｃ１，２ｃ２をリフレクタ２１の後側壁２１ｂよりも前側に突出させた状態における第１の実施形態の照明装置３０の光路図である。図１１（Ｂ）は導光レンズ２の出射面２ｃ１，２ｃ２をリフレクタ２１の後側壁２１ｂよりも後側に収納した状態における第１の実施形態の照明装置３０の光路図である。図１２は第１の実施形態の照明装置３０の筒状部材６の外周面６ｂのこじりを説明するための拡大水平断面図である。
【００４５】
第１の実施形態の照明装置３０では、例えばＬＥＤなどのような光源１（図３、図４および図５参照）が、概略棒状の光源支持部材３（図３、図４および図５参照）に搭載されている。第１の実施形態の照明装置３０では、例えば単色のＬＥＤチップによって光源１が構成されているが、第２の実施形態の照明装置３０では、代わりに、例えば、赤色のＬＥＤチップと、緑色のＬＥＤチップと、青色のＬＥＤチップとによって光源１を構成し、フルカラーの光を光源１から照射することも可能である。
【００４６】
更に、第１の実施形態の照明装置３０では、概略棒状の光源支持部材３（図３、図４および図５参照）が直線運動体前側板１０（図１、図３、図４、図５および図６参照）に接続されている。第１の実施形態の照明装置３０では、光源支持部材３と直線運動体前側板１０とが別個の部材によって形成されているが、第３の実施形態の照明装置３０では、代わりに、光源支持部材３と直線運動体前側板１０とを一部材によって形成することも可能である。
【００４７】
また、第１の実施形態の照明装置３０では、軸受部材７（図１、図３、図４、図５および図６参照）が直線運動体前側板１０（図１、図３、図４、図５および図６参照）に接続されている。更に、筒状部材６（図１、図３、図４、図５および図６参照）が軸受部材７に対して回転可能に、軸受部材７の軸受部（内周面）７ｂ（図３、図４および図５参照）によって筒状部材６の外周面６ｂ（図３、図４、図５および図６参照）が支持されている。
【００４８】
更に、第１の実施形態の照明装置３０では、筒状部材６（図１、図３、図４、図５および図６参照）の後端面（図４の左側の端面）と直線運動体前側板１０（図１、図３、図４、図５および図６参照）の前面（図４の右側の面）とが対向せしめられている。更に、筒状部材６の係合部６ｃ（図３、図４および図５参照）と軸受部材７（図１、図３、図４、図５および図６参照）の係合部７ａ（図３、図４および図５参照）とが対向せしめられている。その結果、第１の実施形態の照明装置３０では、筒状部材６が、直線運動体前側板１０および軸受部材７に対して前後方向（図４の左右方向）に移動できないように構成されている。
【００４９】
また、第１の実施形態の照明装置３０では、ギヤ部６ａ（図３、図４および図５参照）が筒状部材６（図１、図３、図４、図５および図６参照）と一体的に形成されている。更に、モータ９（図１、図３、図４、図５および図６参照）が直線運動体前側板１０（図１、図３、図４、図５および図６参照）に取り付けられている。更に、モータ９の出力軸９ａ（図１および図３参照）が、直線運動体前側板１０の出力軸収容開口１０ａ（図３参照）を介して直線運動体前側板１０よりも前側（図３の下側）に突出せしめられている。また、モータ９の出力軸９ａに接続された駆動ギヤ８（図１および図３参照）と、筒状部材６のギヤ部６ａとが歯合せしめられている。その結果、第１の実施形態の照明装置３０では、モータ９を回転させることによって、筒状部材６を直線運動体前側板１０および軸受部材７（図１、図３、図４、図５および図６参照）に対して回転させることができる。
【００５０】
更に、第１の実施形態の照明装置３０では、直線運動体前側板１０（図１、図３、図４、図５および図６参照）と直線運動体後側板１１（図１、図３、図４、図５および図６参照）とが、連結部材１２ａ，１２ｂ，１２ｃ（図１、図５および図６参照）によって連結されている。また、ラック部材１３（図１、図３および図６参照）が直線運動体前側板１０および直線運動体後側板１１に接続されている。
【００５１】
また、第１の実施形態の照明装置３０では、筒状部材６（図１、図３、図４、図５および図６参照）が不動体前側板１４（図１、図３、図４、図５および図６）に対して回転可能に、不動体前側板１４の軸受部（内周面）１４ａ（図３、図４および図５参照）によって筒状部材６（図１、図３、図４、図５および図６）の外周面６ｂ（図３、図４、図５および図６参照）が支持されている。
【００５２】
更に、第１の実施形態の照明装置３０では、筒状部材６（図１、図３、図４、図５および図６参照）の前端部（図４の右側の端部）と、筒状部材４（図１、図３、図４、図５および図６参照）の後端部（図４の左側の端部）とが接合されている。第１の実施形態の照明装置３０では、筒状部材６と筒状部材４とが別個の部材によって形成されているが、第４の実施形態の照明装置３０では、代わりに、筒状部材６と筒状部材４とを一部材によって形成することも可能である。
【００５３】
また、第１の実施形態の照明装置３０では、筒状部材４（図１、図３、図４、図５および図６参照）と導光レンズ２（図１、図３、図４、図５および図８参照）とが接続されている。詳細には、筒状部材４の導光レンズ装着穴４ａ（図３参照）の内周面と導光レンズ２の外周面２ｄ（図３および図８参照）とが嵌合せしめられている。その結果、第１の実施形態の照明装置３０では、筒状部材６（図１、図３、図４、図５および図６参照）を回転させることによって、概略光源１（図３、図４および図５参照）の光軸１’（図２、図３、図４、図５および図６参照）を中心に導光レンズ２を回転させることができる。
【００５４】
更に、第１の実施形態の照明装置３０では、光源１（図３、図４および図５参照）から照射された光が入射する入射面２ａ（図３、図４、図５、図８および図１１参照）と、入射面２ａからの光を光源１の光軸１’（図２、図３、図４、図５、図６、図７および図１１参照）から遠ざかる側に内面反射する反射面２ｂ１，２ｂ２（図３、図７、図８および図１１参照）と、反射面２ｂ１，２ｂ２からの光を出射する出射面２ｃ１，２ｃ２（図１、図３、図６、図７、図８および図１１参照）とが、導光レンズ２（図１、図３、図４、図５、図８および図１１参照）に形成されている。
【００５５】
第１の実施形態の照明装置３０では、図８（Ｄ）に示す断面形状を図８（Ｄ）の手前側−奥側方向（図８（Ｂ）の上下方向）にスイープすることにより得られる概略平面によって導光レンズ２の反射面２ｂ１，２ｂ２が形成されているが、第５の実施形態の照明装置３０では、代わりに、導光レンズ２の中心軸線（光源１の光軸１’）を中心に図８（Ｄ）に示す断面形状を回転させることにより得られる円錐面によって反射面２ｂ１，２ｂ２を形成することも可能である。
【００５６】
更に、第１の実施形態の照明装置３０では、筒状部材４（図１、図３、図４、図５および図６参照）と遮光部材５（図１、図３、図４、図５、図６および図９参照）とが接続されている。詳細には、筒状部材４の前端部（図５の右側の端部）と遮光部材５の脚部５ｂ１，５ｂ２，５ｂ３，５ｂ４（図１、図５、図６、図７および図９参照）の後端部（図５の左側の端部）とが接合されている。その結果、第１の実施形態の照明装置３０では、筒状部材６（図１、図３、図４、図５および図６参照）を回転させることによって、概略光源１（図３、図４および図５参照）の光軸１’（図２、図３、図４、図５および図６参照）を中心に導光レンズ２（図１、図３、図４、図５、図８および図１１参照）と共に遮光部材５を回転させることができる。
【００５７】
第１の実施形態の照明装置３０では、図９に示すように、４個の脚部５ｂ１，５ｂ２，５ｂ３，５ｂ４が遮光部材５の本体部５ａから延ばされているが、第６の実施形態の照明装置３０では、代わりに、４個以外の任意の個数の脚部５ｂ１，５ｂ２，５ｂ３，５ｂ４を遮光部材５の本体部５ａから延ばすことも可能である。
【００５８】
また、第１の実施形態の照明装置３０では、不動体前側板１４（図１、図３、図４、図５および図６参照）と不動体後側板１５（図１、図３、図４、図５および図６参照）とが、板状の連結部材１６（図１、図３および図６参照）および軸状の連結部材１７（図１参照）によって連結されている。また、不動体後側板１５から前側（図６の右側）に延びている軸状のガイド部材２０ａ，２０ｂ，２０ｃ（図１、図４および図６参照）によって、直線運動体前側板１０（図１、図３、図４、図５および図６参照）および直線運動体後側板１１（図１、図３、図４、図５および図６参照）が、不動体前側板１４および不動体後側板１５に対して前後方向（図６の左右方向）に直線運動可能にガイドされている。
【００５９】
更に、第１の実施形態の照明装置３０では、モータ１８（図１および図６参照）が板状の連結部材１６（図１、図３および図６参照）に取り付けられている。また、モータ１８の出力軸１８ａ（図１および図６参照）が、板状の連結部材１６の出力軸収容開口１６ａ（図１および図６参照）を介して板状の連結部材１６よりも左側（図１の左側）に突出せしめられている。更に、モータ１８の出力軸１８ａに接続された駆動ギヤ１９（図１および図６参照）と、直線運動体前側板１０（図１、図３、図４、図５および図６参照）および直線運動体後側板１１（図１、図３、図４、図５および図６参照）に接続されたラック部材１３（図１、図３および図６参照）とが、歯合せしめられている。その結果、第１の実施形態の照明装置３０では、モータ１８を回転させることによって、直線運動体前側板１０および直線運動体後側板１１を不動体前側板１４（図１、図３、図４、図５および図６参照）および不動体後側板１５（図１、図３、図４、図５および図６参照）に対して前後方向（図６の左右方向）に直線運動させることができる。
【００６０】
また、第１の実施形態の照明装置３０では、軸状の連結部材１７（図１参照）の前端部（図１の下側の端部）と、軸状のガイド部材２０ａ，２０ｂ，２０ｃ（図１、図４および図６参照）の前端部（図６の右側の端部）とが、リフレクタ２１（図２、図３、図４および図５参照）に接続されている。
【００６１】
つまり、第１の実施形態の照明装置３０では、モータ１８（図１および図６参照）を回転させることによって、直線運動体前側板１０（図１、図３、図４、図５および図６参照）および直線運動体後側板１１（図１、図３、図４、図５および図６参照）を不動体前側板１４（図１、図３、図４、図５および図６参照）および不動体後側板１５（図１、図３、図４、図５および図６参照）に対して前側（図３の下側）に移動させることにより、図３に示すように、導光レンズ２の出射面２ｃ１，２ｃ２をリフレクタ２１の後側壁２１ｂよりも前側（図３の下側）に突出させることができる。
【００６２】
第１の実施形態の照明装置３０では、図１１（Ａ）に示すように、導光レンズ２の出射面２ｃ１，２ｃ２がリフレクタ２１の後側壁２１ｂよりも前側（図１１（Ａ）の下側）に突出せしめられている時に、例えば、光源１から照射された光の一部が、導光レンズ２の入射面２ａを介して導光レンズ２内に入射し、次いで、導光レンズ２の反射面２ｂ１によって光源１の光軸１’から遠ざかる側（図１１（Ａ）の右側）に内面全反射され、次いで、導光レンズ２の出射面２ｃ１を介して導光レンズ２から出射し、次いで、リフレクタ２１の反射面２１ａ２７によって反射され、反射光Ｌ１となって照明装置３０の照射方向（図１１（Ａ）の下側）に照射される。
【００６３】
詳細には、第１の実施形態の照明装置３０では、図１１（Ａ）に示すように、導光レンズ２の出射面２ｃ１，２ｃ２がリフレクタ２１の後側壁２１ｂよりも前側（図１１（Ａ）の下側）に突出せしめられている時、導光レンズ２の出射面２ｃ１を介して導光レンズ２から出射した光の一部が、遮光部材５の脚部５ｂ１（図７および図９参照）と脚部５ｂ４（図７および図９参照）との間を透過せしめられ、次いで、リフレクタ２１の反射面２１ａ２３，２１ａ２４，２１ａ２５，２１ａ２６，２１ａ２７，２１ａ２８，２１ａ２９，２１ａ３０，２１ａ３１，２１ａ３２（図２参照）によって反射される。その結果、照明装置３０の照射方向（図１１（Ａ）の下側）から照明装置３０を見ると、リフレクタ２１の反射面２１ａ２３，２１ａ２４，２１ａ２５，２１ａ２６，２１ａ２７，２１ａ２８，２１ａ２９，２１ａ３０，２１ａ３１，２１ａ３２が光って見える。
【００６４】
また、第１の実施形態の照明装置３０では、図１１（Ａ）に示すように、導光レンズ２の出射面２ｃ１，２ｃ２がリフレクタ２１の後側壁２１ｂよりも前側（図１１（Ａ）の下側）に突出せしめられている時に、例えば、光源１から照射された光の一部が、導光レンズ２の入射面２ａを介して導光レンズ２内に入射し、次いで、導光レンズ２の反射面２ｂ２によって光源１の光軸１’から遠ざかる側（図１１（Ａ）の左側）に内面全反射され、次いで、導光レンズ２の出射面２ｃ２を介して導光レンズ２から出射し、次いで、リフレクタ２１の反射面２１ａ８によって反射され、反射光Ｌ２となって照明装置３０の照射方向（図１１（Ａ）の下側）に照射される。
【００６５】
詳細には、第１の実施形態の照明装置３０では、図１１（Ａ）に示すように、導光レンズ２の出射面２ｃ１，２ｃ２がリフレクタ２１の後側壁２１ｂよりも前側（図１１（Ａ）の下側）に突出せしめられている時、導光レンズ２の出射面２ｃ２を介して導光レンズ２から出射した光の一部が、遮光部材５の脚部５ｂ２（図７および図９参照）と脚部５ｂ３（図７および図９参照）との間を透過せしめられ、次いで、リフレクタ２１の反射面２１ａ４，２１ａ５，２１ａ６，２１ａ７，２１ａ８，２１ａ９，２１ａ１０，２１ａ１１，２１ａ１２，２１ａ１３，２１ａ１４（図２参照）によって反射される。その結果、照明装置３０の照射方向（図１１（Ａ）の下側）から照明装置３０を見ると、リフレクタ２１の反射面２１ａ４，２１ａ５，２１ａ６，２１ａ７，２１ａ８，２１ａ９，２１ａ１０，２１ａ１１，２１ａ１２，２１ａ１３，２１ａ１４が光って見える。
【００６６】
更に、第１の実施形態の照明装置３０では、例えば、図１１（Ａ）に示す状態から導光レンズ２および遮光部材５が概略光源１の光軸１’を中心に図２の反時計回りに６０°回転せしめられると、導光レンズ２の出射面２ｃ１を介して導光レンズ２から出射した光の一部が、遮光部材５の脚部５ｂ１（図７および図９参照）と脚部５ｂ４（図７および図９参照）との間を透過せしめられ、次いで、リフレクタ２１の反射面２１ａ２９，２１ａ３０，２１ａ３１，２１ａ３２，２１ａ３３，２１ａ３４，２１ａ３５，２１ａ３６，２１ａ１，２１ａ２（図２参照）によって反射される。その結果、照明装置３０の照射方向（図１１（Ａ）の下側）から照明装置３０を見ると、リフレクタ２１の反射面２１ａ２９，２１ａ３０，２１ａ３１，２１ａ３２，２１ａ３３，２１ａ３４，２１ａ３５，２１ａ３６，２１ａ１，２１ａ２が光って見える。
【００６７】
また、第１の実施形態の照明装置３０では、例えば、図１１（Ａ）に示す状態から導光レンズ２および遮光部材５が概略光源１の光軸１’を中心に図２の反時計回りに６０°回転せしめられると、導光レンズ２の出射面２ｃ２を介して導光レンズ２から出射した光の一部が、遮光部材５の脚部５ｂ２（図７および図９参照）と脚部５ｂ３（図７および図９参照）との間を透過せしめられ、次いで、リフレクタ２１の反射面２１ａ１１，２１ａ１２，２１ａ１３，２１ａ１４，２１ａ１５，２１ａ１６，２１ａ１７，２１ａ１８，２１ａ１９，２１ａ２０（図２参照）によって反射される。その結果、照明装置３０の照射方向（図１１（Ａ）の下側）から照明装置３０を見ると、リフレクタ２１の反射面２１ａ１１，２１ａ１２，２１ａ１３，２１ａ１４，２１ａ１５，２１ａ１６，２１ａ１７，２１ａ１８，２１ａ１９，２１ａ２０が光って見える。
【００６８】
更に、第１の実施形態の照明装置３０では、例えば、図１１（Ａ）に示す状態から導光レンズ２および遮光部材５が概略光源１の光軸１’を中心に図２の反時計回りに１２０°回転せしめられると、導光レンズ２の出射面２ｃ１を介して導光レンズ２から出射した光の一部が、遮光部材５の脚部５ｂ１（図７および図９参照）と脚部５ｂ４（図７および図９参照）との間を透過せしめられ、次いで、リフレクタ２１の反射面２１ａ３５，２１ａ３６，２１ａ１，２１ａ２，２１ａ３，２１ａ４，２１ａ５，２１ａ６，２１ａ７（図２参照）によって反射される。その結果、照明装置３０の照射方向（図１１（Ａ）の下側）から照明装置３０を見ると、リフレクタ２１の反射面２１ａ３５，２１ａ３６，２１ａ１，２１ａ２，２１ａ３，２１ａ４，２１ａ５，２１ａ６，２１ａ７が光って見える。
【００６９】
また、第１の実施形態の照明装置３０では、例えば、図１１（Ａ）に示す状態から導光レンズ２および遮光部材５が概略光源１の光軸１’を中心に図２の反時計回りに１２０°回転せしめられると、導光レンズ２の出射面２ｃ２を介して導光レンズ２から出射した光の一部が、遮光部材５の脚部５ｂ２（図７および図９参照）と脚部５ｂ３（図７および図９参照）との間を透過せしめられ、次いで、リフレクタ２１の反射面２１ａ１７，２１ａ１８，２１ａ１９，２１ａ２０，２１ａ２１，２１ａ２２，２１ａ２３，２１ａ２４，２１ａ２５，２１ａ２６（図２参照）によって反射される。その結果、照明装置３０の照射方向（図１１（Ａ）の下側）から照明装置３０を見ると、リフレクタ２１の反射面２１ａ１７，２１ａ１８，２１ａ１９，２１ａ２０，２１ａ２１，２１ａ２２，２１ａ２３，２１ａ２４，２１ａ２５，２１ａ２６が光って見える。
【００７０】
更に、第１の実施形態の照明装置３０では、モータ１８（図１および図６参照）を回転させることによって、直線運動体前側板１０（図１、図３、図４、図５および図６参照）および直線運動体後側板１１（図１、図３、図４、図５および図６参照）を不動体前側板１４（図１、図３、図４、図５および図６参照）および不動体後側板１５（図１、図３、図４、図５および図６参照）に対して後側（図１０の上側）に移動させることにより、図１０に示すように、導光レンズ２の出射面２ｃ１，２ｃ２をリフレクタ２１の後側壁２１ｂよりも後側（図１０の上側）に収納することができる。
【００７１】
第１の実施形態の照明装置３０では、図１１（Ｂ）に示すように、導光レンズ２の出射面２ｃ１，２ｃ２がリフレクタ２１の後側壁２１ｂよりも後側（図１１（Ｂ）の上側）に収納されている時に、例えば、光源１から照射された光の一部が、導光レンズ２の入射面２ａを介して導光レンズ２内に入射し、次いで、導光レンズ２の反射面２ｂ１によって光源１の光軸１’から遠ざかる側（図１１（Ｂ）の右側）に内面全反射され、次いで、導光レンズ２の出射面２ｃ１を介して導光レンズ２から出射し、次いで、リフレクタ２１の後側壁２１ｂの後面（図１１（Ｂ）の上側の面）によって遮られる。また、光源１から照射された光の一部が、導光レンズ２の入射面２ａを介して導光レンズ２内に入射し、次いで、導光レンズ２の反射面２ｂ２によって光源１の光軸１’から遠ざかる側（図１１（Ｂ）の左側）に内面全反射され、次いで、導光レンズ２の出射面２ｃ２を介して導光レンズ２から出射し、次いで、リフレクタ２１の後側壁２１ｂの後面（図１１（Ｂ）の上側の面）によって遮られる。
【００７２】
その結果、第１の実施形態の照明装置３０では、図１１（Ｂ）に示すように、導光レンズ２の出射面２ｃ１，２ｃ２がリフレクタ２１の後側壁２１ｂよりも後側（図１１（Ｂ）の上側）に収納されている時、照明装置３０の照射方向（図１１（Ｂ）の下側）から照明装置３０を見ると、リフレクタ２１の反射面２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６（図２参照）が光って見えない。
【００７３】
詳細には、第１の実施形態の照明装置３０では、図３に示すように、導光レンズ２を隔てて光源１の反対側（図３の下側）に遮光部材５の本体部５ａが配置されている。また、図５、図７および図９に示すように、遮光部材５の本体部５ａから光源１の側（図５の左側）に延びている遮光部材５の脚部５ｂ１，５ｂ２，５ｂ３，５ｂ４が、遮光部材５の本体部５ａの周方向に部分的に配置されている。更に、導光レンズ２の回転時に、導光レンズ２と一体的に遮光部材５が回転せしめられる。
【００７４】
更に、第１の実施形態の照明装置３０では、導光レンズ２（図８および図１１（Ａ）参照）の出射面２ｃ１，２ｃ２（図７、図８および図１１（Ａ）参照）から出射した光の一部が、遮光部材５（図７および図９参照）の脚部５ｂ１，５ｂ２，５ｂ３，５ｂ４（図７および図９参照）によって遮られる。つまり、第１の実施形態の照明装置３０では、導光レンズ２の出射面２ｃ１，２ｃ２から出射した光の残りの一部が、遮光部材５の脚部５ｂ１，５ｂ２，５ｂ３，５ｂ４によって遮られない。そのため、第１の実施形態の照明装置３０によれば、導光レンズ２を回転させることによって照明装置３０の見え方（照明装置３０の光り方）を変化させることができる。
【００７５】
詳細には、図８（Ｄ）に示す断面形状を光源１の光軸１’を中心に回転させることにより得られる回転体によって導光レンズ２が形成されている第５の実施形態の照明装置３０であっても、導光レンズ２を回転させることによって照明装置３０の見え方（照明装置３０の光り方）を変化させることができる。
【００７６】
更に、第１の実施形態の照明装置３０では、図１１（Ａ）に示すように、導光レンズ２が筒状部材４，６に接続されている。更に、筒状部材６を回転可能に支持するための軸受部７ｂ，１４ａが、光源１を隔てて導光レンズ２の反対側（図１１（Ａ）の上側）に配置されている。そのため、第１の実施形態の照明装置３０によれば、筒状部材４，６）を回転可能に支持するための軸受部７ｂ，１４ａが光源１よりも導光レンズ２の側（図１１（Ａ）の下側）に配置されるのに伴って、光源１からの光の一部が軸受部７ｂ，１４ａによって遮られてしまうおそれを排除することができる。つまり、第１の実施形態の照明装置３０によれば、筒状部材４，６を回転可能に支持するための軸受部７ｂ，１４ａが光源１よりも導光レンズ２の側（図１１（Ａ）の下側）に配置されている場合よりも、光源１からの光の利用効率を向上させることができる。
【００７７】
また、第１の実施形態の照明装置３０では、図３、図４および図５に示すように、光源１が概略棒状の光源支持部材３に搭載されている。更に、光源支持部材３が、筒状部材４，６と非接触の状態で筒状部材４，６の内部に配置されている。そのため、第１の実施形態の照明装置３０によれば、光源１および概略棒状の光源支持部材３を回転させることなく、導光レンズ２、遮光部材５および筒状部材４，６を回転させることができる。その結果、第１の実施形態の照明装置３０によれば、光源１が導光レンズ２、遮光部材５および筒状部材４，６と共に回転せしめられる場合よりも、光源１に対する電力供給の信頼性を向上させることができる。つまり、第１の実施形態の照明装置３０では、例えば特開２００８−１６３３２号公報の図２に記載されているような可動（摺動式）接点を用いる必要がなく、また、光源１に対する電力供給するための配線が光源１の回転に伴って捩じれてしまうおそれもない。
【００７８】
また、第１の実施形態の照明装置３０によれば、図３、図４および図５に示すように、光源１と導光レンズ２とを近接させることができ、その結果、光源１から照射されて導光レンズ（２）に入射する光の量を増加させることができる。
【００７９】
更に、第１の実施形態の照明装置３０では、図４および図５に示すように、光源支持部材３と直線運動体前側板１０とが接続されている。また、軸受部７ｂを有する軸受部材７と直線運動体前側板１０とが接続されている。更に、図１および図６に示すように、直線運動体前側板１０および直線運動体後側板１１を概略光源１（図３参照）の光軸１’方向（図６の左右方向）に移動可能にガイドするためのガイド部材２０ａ，２０ｂ，２０ｃと、直線運動体前側板１０および直線運動体後側板１１を概略光源１の光軸１’方向に移動させるためのモータ１８とが設けられている。そのため、第１の実施形態の照明装置３０によれば、概略光源１の光軸１’を中心に導光レンズ２（図３参照）と遮光部材５とを回転させることができると共に、光源１と導光レンズ２と遮光部材５とを概略光源１の光軸１’方向（図６の左右方向）に移動させることができる。その結果、第１の実施形態の照明装置３０によれば、光源１と導光レンズ２と遮光部材５とを概略光源１の光軸１’方向（図６の左右方向）に移動させることができない場合よりも、照明装置３０の見え方（照明装置３０の光り方）のバリエーションを増加させることができる。
【００８０】
また、第１の実施形態の照明装置３０では、図１および図３に示すように、不動体前側板１４に形成された軸受部１４ａによって筒状部材６が回転可能に支持される。換言すれば、第１の実施形態の照明装置３０では、直線運動体前側板１０に接続された軸受部材７の軸受部７ｂのみによって筒状部材６が回転可能に支持されるのではなく、直線運動体前側板１０に接続された軸受部材７の軸受部７ｂと不動体前側板１４に形成された軸受部１４ａとによって筒状部材６が回転可能に支持される。つまり、第１の実施形態の照明装置３０では、不動体前側板１４に形成された軸受部１４ａが、筒状部材６を回転可能に支持する機能だけでなく、不動体前側板１４に対して筒状部材６を概略光源１の光軸１’方向（図３の上下方向）に移動可能にガイドする機能も有する。そのため、第１の実施形態の照明装置３０によれば、不動体前側板１４に対して筒状部材６を概略光源１の光軸１’方向（図３の上下方向）に移動可能にガイドするための部材が不動体前側板１４の軸受部１４ａとは別個に設けられている場合よりも、部品数を削減することができる。
【００８１】
第１の実施形態の照明装置３０のように、軸受部材７（図１参照）と不動体前側板１４（図１参照）とが複数の部品を介して接続されており、軸受部材７の軸受部７ｂ（図３参照）と、不動体前側板１４の軸受部１４ａ（図３参照）との同軸度を十分に高くしづらい場合には、仮に、図１２に破線で示すように、不動体前側板１４の軸受部１４ａの部分の板厚が大きい値ｔ１４に設定されると、不動体前側板１４の軸受部１４ａと筒状部材６の外周面６ｂ’との間で（図１２中の位置Ｐで）こじりが生じてしまい、筒状部材６を概略光源１（図３参照）の光軸１’（図３参照）方向（図１２の上下方向）に円滑にガイドできなくなってしまうおそれがある。
【００８２】
この点に鑑み、第１の実施形態の照明装置３０では、図１２に実線で示すように、不動体前側板１４のうち、軸受部１４ａ以外の部分の板厚ｔ１４よりも、軸受部１４ａの部分の板厚ｔ１４ａが小さい値に設定されている。そのため、第１の実施形態の照明装置３０によれば、不動体前側板１４の軸受部１４ａと筒状部材６の外周面６ｂとの間でこじりが生じてしまうおそれを低減することができる。
【００８３】
更に、第１の実施形態の照明装置３０では、導光レンズ２（図１１（Ａ）参照）の出射面２ｃ１，２ｃ２（図１１（Ａ）参照）からの光を反射して照明装置３０の照射方向（図１１（Ａ）の下側）に照射するために導光レンズ２の周囲に配列された複数の反射面２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６（図２参照）を有するリフレクタ２１（図２および図１１（Ａ）参照）が設けられている。更に、相互に隣接する２つの反射面２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６が不連続な面によって形成されている。
【００８４】
そのため、第１の実施形態の照明装置３０によれば、導光レンズ２（図８および図１１（Ａ）参照）を回転させることにより、照明装置３０の照射方向（図１１（Ａ）の下側）から照明装置３０を見た時に光って見える反射面２１ａ１，２１ａ２，２１ａ３，２１ａ４，２１ａ５，２１ａ６，２１ａ７，２１ａ８，２１ａ９，２１ａ１０，２１ａ１１，２１ａ１２，２１ａ１３，２１ａ１４，２１ａ１５，２１ａ１６，２１ａ１７，２１ａ１８，２１ａ１９，２１ａ２０，２１ａ２１，２１ａ２２，２１ａ２３，２１ａ２４，２１ａ２５，２１ａ２６，２１ａ２７，２１ａ２８，２１ａ２９，２１ａ３０，２１ａ３１，２１ａ３２，２１ａ３３，２１ａ３４，２１ａ３５，２１ａ３６（図２参照）を変化させることができる。
【００８５】
第７の実施形態では、上述した第１から第６の実施形態を適宜組み合わせることも可能である。
【産業上の利用可能性】
【００８６】
本発明の照明装置は、例えば遊技機器用照明、一般照明、イルミネーション用照明などに適用可能である。
【符号の説明】
【００８７】
１                              光源
１’                            光軸
２                              導光レンズ
２ａ                            入射面
２ｂ１，２ｂ２                  反射面
２ｃ１，２ｃ２                  出射面
５                              遮光部材
５ａ                            本体部
５ｂ１，５ｂ３，５ｂ３，５ｂ４  脚部
３０                            照明装置
【図１】
2010225491.tif 000003
【図２】
2010225491.tif 000004
【図３】
2010225491.tif 000005
【図４】
2010225491.tif 000006
【図５】
2010225491.tif 000007
【図６】
2010225491.tif 000008
【図７】
2010225491.tif 000009
【図８】
2010225491.tif 000010
【図９】
2010225491.tif 000011
【図１０】
2010225491.tif 000012
【図１１】
2010225491.tif 000013
【図１２】
2010225491.tif 000014